(57)【要約】【課題】球取込装置を構成する回転体の逆回転により、取り込まれたものと認識済のパチンコ球を、新規に取り込まれたものと再度認識させる不正行為を防止することである。【解決手段】球取込口２から内部に取り込まれた複数のパチンコ球Ｂを略軸方向に整列された状態で収容する複数の球整列収容部７が周方向に沿って設けられた回転体Ｄと、該回転体Ｄを設定角度ずつ回転させるための駆動モータ（回転駆動手段）８と、球取込位置において回転体Ｄの球整列収容部７に収容された複数のパチンコ球の存否を検出するための球取込検出センサＳ２　と、前記球整列収容部７の数と同数の回転停止位置を定めるために回転体Ｄに設けた透光孔（被検出部）１２を検出するための停止位置検出センサＳ１　とを備え、球取込口２から回転体Ｄの球整列収容部７に取り込まれた球数が、前記球取込検出センサＳ２　により設定数であることが検出された後に、前記駆動モータ８により回転体Ｄが回転されて、収容させる構成の遊技機の球取込装置Ａにおいて、前記回転体Ｄの逆転を防止するラチェット機構（逆転防止機構）Ｒを設ける。【選択図】　　　　図６
2004057353.tif 000002
【特許請求の範囲】
【請求項１】
球取込口から内部に取り込まれた複数のパチンコ球を略軸方向に整列された状態で収容する複数の球整列収容部が周方向に沿って設けられた回転体と、該回転体を設定角度ずつ回転させるための回転駆動手段と、球取込位置において回転体の球整列収容部に収容された複数のパチンコ球の存否を検出するための球取込検出センサと、前記球整列収容部の数と同数の回転停止位置を定めるために回転体に設けた被検出部を検出するための停止位置検出センサとを備え、
球取込口から回転体の球整列収容部に取り込まれた球数が、前記球取込検出センサにより設定数であることが検出された後に、前記回転駆動手段により回転体が回転されて、収容させる構成の遊技機の球取込装置において、
前記回転体の逆転を防止する逆転防止機構を備えていることを特徴とする遊技機の球取込装置。
【請求項２】
前記逆転防止機構は、ラチェット機構であることを特徴とする請求項１に記載の遊技機の球取込装置。
【請求項３】
前記ラチェット機構を構成するラチェット歯車の歯数は、回転体の球整列収容部の数の整数倍であって、しかも停止位置検出センサにより回転体の被検出部が検出されて回転体が停止した状態から正転を開始して、停止位置検出センサにより回転体の被検出部が検出されなくなった時点で、ラチェット歯とラチェット爪とは、回転体の逆転方向に遊びのない状態で係合する構成になっていることを特徴とする請求項２に記載の遊技機の球取込装置。
【請求項４】
前記ラチェット機構を構成するラチェット歯車の歯数は、回転体の球整列収容部の数の整数倍であって、しかも停止位置検出センサにより回転体の被検出部が検出されて回転体が停止した状態で、ラチェット歯とラチェット爪とは、回転体の逆転方向に遊びのない状態で係合する構成になっていることを特徴とする請求項２に記載の遊技機の球取込装置。
【発明の詳細な説明】
【０００１】
【発明の属する技術分野】
本発明は、パチンコ球にて遊技を行う遊技機、特にスロットマシンに組み込まれる球取込装置に関するものである。
【０００２】
【従来の技術】
スロットマシンには、メダルを投入して遊技を行うものの他に、所定数（例えば、５個）のパチンコ球を１枚のメダルと同価値とみなして、遊技を行うものがある。この種のスロットマシンには、上皿に貯留された遊技球を取り込むための装置が組み込まれており、その一つとして、取り込まれた遊技球の球数を確認して、その後に直ちに流出（排出）させるのではなく、取り込まれた遊技球を、後続の所定数の遊技球が取り込まれる間だけ、装置内に一旦貯留させ、この貯留された遊技球を「証拠球」として扱うものが現れている。この「証拠球」は、遊技者とホールとの間で何らかの問題が発生した場合に、取り込まれて装置内に貯留されている遊技球の存在により、遊技者が不正を行うことなく、正当な方法で遊技球を取り込んでいることを証明するためのものである。
【０００３】
この球取込装置は、球取込口から内部に取り込まれた複数のパチンコ球を略軸方向に整列された状態で収容する複数の球整列収容部が周方向に沿って設けられた回転体と、該回転体を設定角度ずつ回転させるための回転駆動手段と、球取込位置において回転体の球整列収容部に収容された複数のパチンコ球の存否を検出するための球取込検出センサと、前記球整列収容部の数と同数の回転停止位置を定めるために回転体に設けた被検出部を検出するための停止位置検出センサとを備えている。
【０００４】
そして、球取込口から回転体の球整列収容部に取り込まれた球数が、前記球取込検出センサにより設定数であることが検出された後に、前記回転駆動手段により回転体が回転されて、該回転体の停止位置に設けられた被検出部を前記停止位置検出センサで検出して、回転体を停止させて、次の球整列収容部に遊技球を取り込むことにより、回転体の直前の球整列収容部に取り込まれて収容された球を回転体内に証拠球として一旦貯留した後に流出させるようになっている。
【０００５】
よって、例えば、回転体の回転開始直後において、この回転体を（正方向に）回転した角度だけ逆回転させると、本来ならば回転体の球整列収容部に収容されて「証拠球」となるべき所定数の球が球取込検出センサにより、後続の取込球であると誤認識されると共に、回転体に設けられた球整列収容部と同数の被検出部のうち、回転体の逆回転により、直前に検出された被検出部が再度、停止位置検出センサにより誤検出されることになる。これにより、取込装置全体としては、回転体の次の「別の球整列収容部」に所定数の遊技球が取り込まれて収容された後に、回転体が所定角度だけ回転して、直前に検出された被検出部の直後の別の被検出部を検出したのと同様の状態となって、パチンコ球が適正に取り込まれたと誤認識する。
【０００６】
このように、上記構成の従来の球取込装置は、回転体の逆回転による不正行為に対する手段が講じられていなかった。よって、回転体の逆回転による上記不正行為によって、パチンコ球を使用せずに、遊技ができるのみならず、特定位置で回転体を繰り返して正逆回動させることにより、「多数ユニット（１ユニットとは、１枚のメダルと等価値のパチンコ球の数をいう）」のパチンコ球をクレジットすることも可能となって、これを清算することにより、多量のパチンコ球の不正獲得が可能となる。
【０００７】
ここで、回転体の逆回転による上記不正を防止する一手段として、回転体を駆動回転させる駆動モータ（ステッピングモータ）を励磁する方法もあるが、強制的に回転体が逆回転された場合には対処できないのみならず、励磁することにより、回転体の位置決めが容易となって、逆に上記不正がし易くなる欠点がある。
また、励磁によって、駆動モータは常時加熱され続けるために、過熱の問題もある。
【０００８】
【発明が解決しようとする課題】
本発明の課題は、遊技機の球取込装置において、回転体の逆回転により、取り込まれたものと認識済のパチンコ球を、新規に取り込まれたものと再度認識させて、パチンコ球を取り込むことなく遊技を行う不正行為を防止することである。
【０００９】
【課題を解決するための手段】
上記の課題を解決するための請求項１の発明は、上記構成の遊技機の球取込装置において、前記回転体の逆回転を防止する逆転防止機構を備えていることを特徴としている。この逆転防止機構は、回転体又は回転駆動手段の駆動軸のいずれか一方に設ければよいが、最終的に逆転を防止すべき回転体に設けることが好ましい。逆転防止機構によって、回転体の逆回転が不能となって、上記不正行為が防止される。
【００１０】
また、請求項２の発明は、請求項１の発明において、前記逆転防止機構は、ラチェット機構であることを特徴としている。簡単な構成のラチェット機構によって、回転体の逆転を防止できる。
【００１１】
また、請求項３の発明は、請求項２の発明において、前記ラチェット機構を構成するラチェット歯車の歯数は、回転体の球整列収容部の数の整数倍であって、しかも停止位置検出センサにより回転体の被検出部が検出されて回転体が停止した状態から正転を開始して、停止位置検出センサにより回転体の被検出部が検出されなくなった時点で、ラチェット歯車とラチェット爪とは、回転体の逆転方向に遊びのない状態で係合する構成になっていることを特徴としている。
【００１２】
請求項３の発明によれば、停止位置検出センサにより回転体の被検出部が検出されて回転体が停止した後に、次の球整列収容部にパチンコ球を取り込んで正転を開始して、停止位置検出センサにより回転体の被検出部が検出されなくなった時点で、ラチェット歯とラチェット爪とは、回転体の逆転方向に遊びのない状態で係合する構成になっている。よって、上記不正行為が可能な機会は、ラチェット歯車が正転を開始してから、ラチェット歯とラチェット爪とが、回転体の逆転方向に遊びをなしにして係合する直前の状態の間のみ、換言すれば、前記被検出部の中心角と同一角度だけラチェット歯車が正転する間のみであって、極めて小さな回転角度の間しか存在してしない。
【００１３】
そして、ラチェット歯車の歯数は、回転体の球整列収容部の数の整数倍であるために、回転体の停止時におけるラチェット歯車の各歯の位置は、回転体の１回転中における複数の各停止位置のみならず、１回転後における回転体の複数の各停止位置においても、常に一定している。換言すれば、回転体の各停止時点において、停止位置検出センサの配置位置に対する各ラチェット歯の回転方向に沿った位相は、常に同一である。このため、回転体の停止毎に、上記状態（不正行為が可能な機会は、回転体が正転開始した後において、ラチェット歯車が被検出部の中心角だけ回転する間のみである状態）が実現されるので、この不正行為を一層効果的に防止できる。
【００１４】
また、請求項４の発明は、請求項２の発明において、前記ラチェット機構を構成するラチェット歯車の歯数は、回転体の球整列収容部の数の整数倍であって、しかも停止位置検出センサにより回転体の被検出部が検出されて回転体が停止した状態で、ラチェット歯とラチェット爪とは、回転体の逆転方向に遊びのない状態で係合する構成になっていることを特徴としている。
【００１５】
請求項４の発明によれば、上記不正行為が可能な機会は、ラチェット歯車が正転を開始してから、ラチェット歯車が、被検出部の中心角だけ正転した後であって、ラチェット歯とラチェット爪とが、回転体の逆転方向に遊びのない状態で係合する間のみである。換言すれば、ラチェット歯車が正転を開始してから、ラチェット歯車が、被検出部の中心角だけ正転する間は、不正行為が不能であって、上記理由により回転体の停止毎に、この状態が実現されるので、不正行為を一層効果的に防止できる。
【００１６】
また、特に請求項４の発明においては、回転体の停止時において、ラチェット歯とラチェット爪とは、回転体の逆転方向に遊びのない状態で係合しているので、回転体の停止時、即ち、回転体の球整列収容部にパチンコ球を取り込んでいる状態において、パチンコ球の取り込みによって、回転体が逆転方向に回転しようとしても、この逆転が防止される。
【００１７】
【発明の実施の形態】
以下、実施形態を挙げて、本発明について更に詳細に説明する。図１は、本発明に係る球取込装置Ａが組み込まれたスロットマシンＳの正面図であり、図２は、球取込装置Ａを裏面側から見た部分断面図であり、図３は、同じく右側面から見た部分断面図であり、図４は、同じく正面図であり、図５は、球取込装置Ａを構成する回転体Ｄの斜視図であり、図６は、球取込装置Ａを構成する回転体Ｄの作用説明図である。
【００１８】
このスロットマシンＳは、パチンコ球を使用して遊技を行うものであって、１枚のメダルと等価値を有するパチンコ球の個数は５個であって、１枚のメダルと等価値のパチンコ球の数を「１ユニット」と定める。従って、例えば、「３ユニット」は、パチンコ球で１５個（３枚分のメダル）に相当する。
【００１９】
最初に、図１を参照して、スロットマシンＳの全体構成の概略について説明し、その後に、これに組み込まれた本発明に係る球取込装置Ａについて詳細に説明する。スロットマシンＳには、横方向に並べられた３本の各リール３１，３２，３３が静止した状態で一以上の図柄が表示可能な表示窓３４，３５，３６、複数本（図１に示される実施形態では５本）の有効ライン３７に対応して入賞図柄等を報知可能な有効ランプ３８、クレジット数を表示可能なクレジット表示器３９、ボーナスゲームにおける消化ゲーム数を表示可能なゲーム数表示器４１、払い出しを行うユニット数を表示可能なユニット数表示器４２、１回の遊技に掛けるユニット数を設定するベットスイッチ４３，４４，４５、３本の各リール３１，３２，３３を回転させ始める始動スイッチ４６、回転している各リール３１，３２，３３を個別に停止させる停止スイッチ４７，４８，４９等を備える。各リール３１，３２，３３の回転及び停止させる構成等は、周知であるので、その説明を省略する。
【００２０】
また、有効ライン３７の数は、ユニット数に応じて異なる。例えば、１ユニットを掛けるベットスイッチ４３は、中段の水平の１ラインのみが有効となり、２ユニットを掛けるベットスイッチ４４は、上段・中段・下段の水平の３ラインのみが有効となり、３ユニットを掛けるベットスイッチ４５は、水平の３ラインと斜めの２ラインとの計５ラインの全てが有効となる。
【００２１】
また、スロットマシンＳには、図柄を用いる表示演出によってビッグボーナスゲームや期待度等を報知可能な液晶表示器５１、音（音声、音楽、効果音等）を出すスピーカ５２、遊技状態に応じた表示演出を行う演出ランプ５３、パチンコ球を一時的に貯留する上皿５４と下皿５５、上皿５４内のパチンコ球を流入通路５６及び球取込装置Ａを通じてスロットマシンＳ内に取り込むことを指示する取込スイッチ５７、クレジットしているパチンコ球の返却を指示する貯留清算スイッチ５８、前記流入通路５６や球取込装置Ａに残存するパチンコ球を下皿５５に返却するための返却ボタン５９、タバコの吸殻を入れる灰皿６１等を備える。
【００２２】
また、回転している各リール３１，３２，３３が特定の表示態様（例えば、ボーナス図柄や小役図柄等）で停止すると、これらに対応する個数のパチンコ球が払出口６２から払い出されて、前記上皿５４に貯留される。また、球貸機（図示せず）によって貸し出されたパチンコ球は、漏斗状をした誘導通路６３を経て上皿５４に貯留される。また、開閉錠６４に所定のキーを差し込んで回すと、上下二段から成るフロントドア６５を個別に開閉でき、前記取込みスイッチ５７、貯留清算スイッチ５８、誘導通路６３等は、上段側のフロントドア６５に備える。
【００２３】
次に、図２ないし図６を参照して、本発明に係る球取込装置Ａについて詳細に説明する。この球取込装置Ａは、前記流入通路５６を経て上皿５４内に貯留されているパチンコ球ＢをスロットマシンＳ内に取り込む装置であって、フレーム枠１に回転体Ｄが軸心を水平にして回転可能に支持された構成であって、上皿５４内のパチンコ球Ｂは、前記流入通路５６を経て、装置の右側面に設けられた球取込口２を通って内部に流入して、球流出口３から流出して取込通路（図示せず）を経てスロットマシンＳ内に取り込まれるか、或いは該球取込装置Ａ内に設けられた球返却通路１５を経て球返却口４から下皿５５に返却されるかのいずれかの経路を経て、該球取込装置Ａの外部に排出（流出）される。この球取込装置Ａにおいて、球取込口２、球流出口３及び球返却口４は、いずれも装置の同一側である右側に設けられている。
【００２４】
また、図２ないし図５に示されるように、球取込装置Ａを構成する回転体Ｄは、パチンコ球Ｂの球径の約１．７倍の外径を有する二重中空状をした回転軸５の外周面に複数枚（実施形態では６枚）の羽根体６が、ほぼ半径方向に沿い、しかも軸方向に対しては僅かに傾斜した状態で一体に取付けられていて、相隣接する各羽根体６の間の空間は、前記球取込口２から流入した「１ユニット」分の、即ち５個のパチンコ球Ｂを軸方向に整列した姿勢で収容するための球整列収容部７を構成している。回転軸５に対する前記各羽根体６の軸方向に沿った傾斜は、球取込口２から内部に流入するパチンコ球Ｂが奥側に転動し得る方向となっている。因みに、前記回転体Ｄにおいて、球取込装置Ａの前記球整列収容部７に整列収容された「１ユニット」分のパチンコ球Ｂは、回転体Ｄのほぼ半回転により、球取込装置Ａの裏面側に達して、球取込口２と同一側に配置されている球流出口３から、後に流入したパチンコ球Ｂが先となって順次流出されて、取込通路１０（図３参照）を経てスロットマシンＳの内部に取り込まれる。
【００２５】
また、回転体Ｄの回転軸５の右端部は、フレーム枠１の右端部に支持されていると共に、その左端部は、フレーム枠１の左端部に固定されたステッピングモータから成る駆動モータ８の駆動軸８ａにカップリング９を介して連結され、回転体Ｄは、駆動モータ８により所定角度（本実施形態では、球整列収容部７の数が６であるので、６０°）ずつ回転して停止する構成になっている。即ち、回転体Ｄの左端側（駆動モータ８が配置された側）には、側板を兼用したラチェット歯車板１１が一体に設けられていて、該ラチェット歯車板１１の外周部には、球整列収容部７の数に対応した６個の透光孔１２が周方向に沿って等分して設けられている。
【００２６】
そして、図２、図３及び図５に示されるように、回転体Ｄの停止位置を定めるための停止位置検出センサＳ１　が前記ラチェット歯車板１１の外周部を両側から覆うような形態となって配置されていて、回転体Ｄの回転により、その外周部の透光孔１２が前記停止位置検出センサＳ１　の部分に達すると、遮光されていた光が前記透光孔１２を通過することにより、回転体Ｄの周方向の位置が検出されて、その検出信号により駆動モータ８が停止されて、回転体Ｄが停止される構成になっている。従って、回転体Ｄは、その周囲に等分して設けられた６個の球整列収容部７が球取込口２と合致する位置で停止するように構成されている。このため、回転体Ｄの停止位置において、球取込口２から球整列収容部７にパチンコ球Ｂがスムーズに流入することとなる。
【００２７】
また、球取込位置（球取込口２の位置）において球整列収容部７の収容された「１ユニット（５個）」のパチンコ球Ｂのうち最も奥側（駆動モータ８の側）のものは、フレーム枠１における当該位置に固定された固定板（図示せず）に当接保持されると共に、球収容位置から回転体Ｄが回転して、球整列収容部７の傾斜方向が逆方向となることにより、該球整列収容部７に収容された「１ユニット（５個）」のパチンコ球Ｂが手前側（球取込口２の側）に転動しようとした場合には、最も手前側のパチンコ球Ｂは、フレーム枠１の右端側の内側に一体に設けられた固定板１３（図２参照）に当接する。そして、球取込位置から回転体Ｄがほぼ半回転して、その反対側に達した球流出位置においては、前記固定板１３は欠落されていて、球整列収容部７に収容された「１ユニット」のパチンコ球Ｂは、その最も手前側のパチンコ球Ｂの支持を失うために、球整列収容部７の傾斜に沿って順次流出する構成となっている。
【００２８】
また、回転体Ｄにおける球取込位置に位置する球整列収容部７の奥側の固定板（図示せず）の部分は、通常時は開閉板（図示せず）により覆われて、該球整列収容部７に「１ユニット」のパチンコ球の収容が可能になっている。そして、上皿５４に貯留されているパチンコ球Ｂを下皿５５に返却する場合には、前記返却ボタン５９を押して、返却レバー１４を下方に押し下げ、リンク機構を介して前記開閉板を移動させることにより、球取込位置に位置する球整列収容部７の奥側が開放されて、球取込口２から回転体Ｄの球整列収容部７に流入したパチンコ球Ｂは、そのまま球整列収容部７を素通りして、フレーム枠１の左側から右側に向けて低くなるように傾斜した球返却通路１５を通って、その終端の球返却口４から下皿５５に返却されるようになっている。
【００２９】
また、球取込位置において、フレーム枠１に設けられた球取込口２から、回転体Ｄの球整列収容部７に「１ユニット」のパチンコ球Ｂが流入して収容されているか否かは、５対の球取込検出センサＳ２　により検出される。即ち、球取込位置において、回転体Ｄの球整列収容部７に収容された「１ユニット（５個）」の各パチンコ球Ｂの上下には、各パチンコ球Ｂによって発光光線が遮断されるように、発光体Ｓ２１と受光体Ｓ２２とから成る５対の球取込検出センサＳ２　が配置されている。これにより、５対の球取込検出センサＳ２　により「１ユニット（５個）」のパチンコ球Ｂがそれぞれ検出されると、その検出信号が駆動モータ８に伝達されて、回転体Ｄが回転を開始して、１回転角度である６０°だけ回転すると、ラチェット歯車板１１の外周部に設けられた透光孔１２が停止位置検出センサＳ１　により検出されて、前記駆動モータ８が停止する。これにより、球取込位置には、「１ユニット（５個）」のパチンコ球Ｂが収容された球整列収容部７に後続する別の球整列収容部７が位置することとなって、この「別の球整列収容部７」に「１ユニット（５個）」のパチンコ球Ｂが取り込まれて収容される。そして、回転体Ｄの球整列収容部７に収容されたパチンコ球Ｂは、証拠球として、回転体Ｄがほぼ半回転する間だけ貯留された後に、裏面側において、球流出口３から流出されて、取込通路１０を通ってスロットマシンＳに取り込まれる。
【００３０】
なお、回転軸５の外周部に取付けられた各羽根体６は、断面視において緩やかな「くの字形」に屈曲されていて、球取込時、及び取込まれたパチンコ球Ｂが最上部に達する間は、収容されたパチンコ球Ｂがこぼれ落ちるのを防止する機能を果たすと共に、収容されたパチンコ球Ｂが最上部に達した後には、収容されているパチンコ球Ｂの流出を容易にする機能を果たす。また、図２及び図４に示されるように、各羽根体６の先端部（自由端部）における球取込検出センサＳ２　の光線Ｌ２　と干渉する部分には、スリット１６が形成されて、前記干渉を回避している。
【００３１】
また、回転体Ｄには、ラチェット機構Ｒが設けられて、その逆転が不能となっている。即ち、ラチェット機構Ｒは、回転体Ｄの左側（駆動モータ８の側）の側板を兼用したラチェット歯車板１１と、これに噛合するラチェット爪レバー１７とで構成されて、回転体Ｄの逆回転（右側面視で時計回転）を不能にしている。ラチェット爪レバー１７は、ラチェット歯車板１１の奥側に僅かに前傾姿勢となって、支点１８を中心に僅かに回動可能に配置されて、引張バネ１９の引張力により、その先端のラチェット爪Ｋと、ラチェット歯車板１１の外周部に設けられた各ラチェット歯Ｔとの係合を確実にしている。このように、回転体Ｄの逆回転による上記不正行為を防止するには、駆動モータ８の回転軸８ａの逆回転を防止しても実現可能であるが、不正行為防止の目的は、回転体Ｄそのものの逆転防止であるので、この回転体Ｄに直接にラチェット機構Ｒを設けてある。なお、図３において、２１は、回転体Ｄの回転時に、その球整列収容部７に収容されたパチンコ球Ｂがこぼれ落ちるのを防止するカバーを示す。
【００３２】
そして、ラチェット歯車板１１の外周部に設けられた多数のラチェット歯Ｔの歯数（Ｎ）は、回転体Ｄの球整列収容部７の数（＝６）の整数倍である５倍の「３０」となっている。図７（イ），　（ロ）は、それぞれ回転中の回転体Ｄの透光孔１２が停止位置検出センサＳ１　により検出されて、回転体Ｄが停止した状態、及び停止中の回転体Ｄが回転を開始してラチェット歯Ｔとラチェット爪Ｋとが遊びをなしにして係合した状態の作用説明図である。このため、ラチェット歯車板１１の外周部に設けられる各ラチェット歯Ｔ及び各透光孔１２との周方向に沿った位置関係（位相）を、図７（イ）　に示されるように、停止位置検出センサＳ１　により回転体の透光孔１２が検出されて回転体Ｄが停止して、次の球整列収容部７にパチンコ球Ｂが収容されて正転を開始して、図７（ロ）に示されるように、停止位置検出センサＳ１　により回転体Ｄの透光孔１２が検出されなくなった時点で、ラチェット歯Ｔとラチェット爪Ｋとは、回転体Ｄの逆転方向に遊びのない状態で係合する構成にすると、以下の特有の作用効果が奏される。
【００３３】
即ち、上記不正行為が可能な機会は、回転体Ｄが正転を開始してから、そのラチェット歯Ｔとラチェット爪Ｋとが、回転体の逆転方向に遊びをなしにして係合する直前の状態の間のみ、換言すれば、前記透光孔１２の中心角（θ）と同一角度だけ回転体Ｄが正転する間のみであって、極めて小さな回転角度しか存在しない。そして、ラチェット歯車板１１の歯数は、回転体Ｄの球整列収容部７の数の整数倍であるために、回転体Ｄの停止時におけるラチェット歯車板１１の各歯の位置は、回転体の１回転中における複数の各停止位置のみならず、１回転後における回転体の複数の各停止位置においても、常に一定している。換言すれば、回転体Ｄの各停止時点において、停止位置検出センサＳ１　の配置位置に対する各ラチェット歯Ｔの回転方向に沿った位相は、常に同一である。
【００３４】
このため、回転体Ｄの停止毎に、「不正行為が可能な機会は、回転体Ｄが正転開始した後において、回転体Ｄが透光孔１２の中心角だけ回転する間のみである状態」が実現されるので、この不正行為を一層効果的に防止できる。また、ラチェット歯車板１１のラチェット歯Ｔと透光孔１２の周方向の位相を上記のように定めると、ラチェット歯Ｔの歯数（Ｎ）とは、無関係に上記作用が奏される利点がある。なお、図７においてＬ１　は、停止位置検出センサＳ１　の発光光線の位置を示すものであり、実際には、紙面に対して垂直な方向に存在するが、図示可能にするため、及び理解容易のために、図７のように図示してある。
【００３５】
また、図８（イ），（ロ）　は、それぞれ回転中の回転体Ｄの透光孔１２が停止位置検出センサＳ１　により検出されて、ラチェット歯Ｔとラチェット爪Ｋとが遊びをなしにして係合した状態、及び停止中の回転体Ｄが回転を開始して、停止位置検出センサＳ１　により透光孔１２が検出されなくなった状態の作用説明図である。このように、図８は、図７に対して、ラチェット歯Ｔと透光孔１２との周方向の位相がずれている構成のみが異なって、ラチェット歯車の歯数（Ｔ）は、回転体Ｄの球整列収容部７の数（＝６）の整数倍である５倍の「３０」となっている構成歯、図７と同一である。
【００３６】
よって、図８の位相では、上記不正行為が可能な機会は、回転体Ｄが正転を開始してから、回転体Ｄ（ラチェット歯車板１１）が、透光孔１２の中心角だけ正転した後であって、ラチェット歯Ｔとラチェット爪Ｋとが、回転体Ｄの逆転方向に遊びのない状態で係合する直前の間のみである。換言すれば、回転体Ｄが正転を開始してから、この回転体Ｄが、透光孔１２の中心角だけ正転する間は、不正行為が不能であって、上記理由により回転体の停止毎に、この状態が実現されるので、不正行為を一層効果的に防止できる。
【００３７】
そして、図８の構成においては、ラチェット歯車板１１の歯数（Ｎ）が多くなって、１歯の中心角が小さくなる程、或いは透光孔１２の中心角が大きくなる程、不正行為が可能となる回転体Ｄ（ラチェット歯車板１１）の位相が少なくなって、当該不正行為を効果的に防止できる。ここで、透光孔１２の中心角が、ラチェット歯車板１１の１歯の中心角と同等又はこれよりも大きくなると、ラチェット歯車板１１のラチェット歯Ｔと透光孔１２の周方向の位相とは無関係に、前記不正行為を完全に防止できる。その理由は、回転体Ｄを逆回転させて、同一の透光孔１２が停止位置検出センサＳ１　により検出されている間に、ラチェット歯Ｔとラチェット爪Ｋとが遊びのない状態で係合するからである。
【００３８】
また、図８の構成において、回転体Ｄの停止時において、ラチェット歯Ｔとラチェット爪Ｋとは、常に回転体Ｄの逆転方向に遊びのない状態で係合しているので、回転体Ｄの停止時、即ち、回転体Ｄの球整列収容部７にパチンコ球Ｂを取り込んでいる状態において、パチンコ球Ｂの取り込みによって、回転体Ｄが逆転方向に回転しようとしても、この逆転が防止される利点もある。
【００３９】
また、ラチェット歯車板１１の構成に関しては、回転体Ｄが停止して、そのラチェット歯車板１１がラチェット爪Ｋと係合する部分の前後にのみ２〜３個のラチェット歯Ｔを設けて、残りの部分は、円弧面のままにしておいてもよい。これにより、ラチェット歯Ｔとラチェット爪Ｋとの接触による騒音の発生を抑制できる。
【００４０】
また、上記実施形態のように、回転体Ｄに直接に逆転防止機構を設けることが好ましいが、駆動モータ８の駆動軸８ａにラチェット機構Ｒを設けて、回転体Ｄの逆転を防止する構成にしてもよい。
【００４１】
【発明の効果】
本発明は、球取込装置に逆転防止機構を設けてあるので、回転体の逆回転を防止できて、前記回転体の逆回転により、取り込まれたものと認識済のパチンコ球を、新規に取り込まれたものと再度認識させて、パチンコ球を使用せずに遊技を行う不正行為を防止できる。
【００４２】
また、逆転防止機構がラチェット機構であって、このラチェット機構を構成するラチェット歯車の歯数を、回転体の球整列収容部の数の整数倍にし、しかも停止位置検出センサにより検出される回転体の被検出部と、ラチェット歯との周方向に沿った位相を上記した特定の位相にすると、回転体の逆回転による上記不正行為を一層確実に防止できる。
【図面の簡単な説明】
【図１】本発明に係る球取込装置Ａが組み込まれたスロットマシンＳの正面図である。
【図２】球取込装置Ａを裏面側から見た部分断面図である。
【図３】同じく右側面から見た部分断面図である。
【図４】同じく正面図である。
【図５】球取込装置Ａを構成する回転体Ｄの斜視図である。
【図６】球取込装置Ａを構成する回転体Ｄの作用説明図である。
【図７】（イ），　（ロ）は、それぞれ回転中の回転体Ｄの透光孔１２が停止位置検出センサＳ１　により検出されて、回転体Ｄが停止した状態、及び停止中の回転体Ｄが回転を開始してラチェット歯Ｔとラチェット爪Ｋとが遊びをなしにして係合した状態の作用説明図である。
【図８】（イ），　（ロ）は、それぞれ回転中の回転体Ｄの透光孔１２が停止位置検出センサＳ１　により検出されて、ラチェット歯Ｔとラチェット爪Ｋとが遊びをなしにして係合した状態、及び停止中の回転体Ｄが回転を開始して、停止位置検出センサＳ１　により透光孔１２が検出されなくなった状態の作用説明図である。
【符号の説明】
Ａ：球取込装置
Ｂ：パチンコ球
Ｄ：回転体
Ｋ：ラチェット爪
Ｒ：ラチェット機構
Ｓ１　：停止位置検出センサ
Ｓ２　：球取込検出センサ
Ｔ：ラチェット歯
２：球取込口
７：球整列収容部
８：駆動モータ（回転駆動手段）
１１：ラチェット歯車板（ラチェット歯車）
１２：透光孔（回転体の被検出部）
１７：ラチェット爪レバー
【図１】
2004057353.tif 000003
【図２】
2004057353.tif 000004
【図３】
2004057353.tif 000005
【図４】
2004057353.tif 000006
【図５】
2004057353.tif 000007
【図６】
2004057353.tif 000008
【図７】
2004057353.tif 000009
【図８】
2004057353.tif 000010